(57)【要約】【課題】本発明は、産前産後の女性のように関節が柔らかくなっている身体の方にバランスが取れるように補正をする履物を提供することである。【解決手段】外側縦アーチＣ１、横アーチＣ２、内側縦アーチＣ３からなる足の基本骨格に対して軽い圧迫を与える中敷き１００を備える履物１１０において、中敷き１００は、外側縦アーチを形成する第５中足骨９、立方骨２３、踵骨２６に対して圧迫を与える外側縦アーチ圧迫部１０１と、横アーチＣ２の後部であり、第２中足骨１６および第３中足骨１７の骨底部と、第２楔状骨２１および第３楔状骨２２の骨頭部との関節部分に対して圧迫を与える中足骨圧迫部１０２とを備える。【選択図】図１
2019072459.tif 000002
【特許請求の範囲】
【請求項１】
外側縦アーチ、横アーチ、内側縦アーチからなる足の基本骨格に対して軽い圧迫を与える中敷きを備える履物において、
前記中敷きは、
前記外側縦アーチを形成する第５中足骨、立方骨、踵骨に対して圧迫を与える外側縦アーチ圧迫部と、
前記横アーチの後部であり、第２中足骨および第３中足骨の骨底部と、第２楔状骨および第３楔状骨の骨頭部との間の関節部分に対して圧迫を与える中足骨圧迫部と
を備える
履物。
【請求項２】
前記中足骨圧迫部は、
第２楔状骨の骨頭部または第２中足骨の骨底部の内側端部と、
第３楔状骨の骨頭部または第３中足骨の骨底部の外側端部を結ぶ線を
底辺とし、
前方側に頂点を持つ
三角形状の凸部である
請求項１記載の履物。
【請求項３】
前記中足骨圧迫部は、
第２楔状骨の骨頭部または第２中足骨の骨底部の内側端部と、
第３楔状骨の骨頭部または第３中足骨の骨底部の外側端部と、
この２点を結ぶ線を底辺とした
正三角形の頂点部との３点を通る
円形状または楕円形状の凸部である
請求項１記載の履物。
【請求項４】
第２中足骨および第３中足骨に対応する部位の中敷きの厚さと、踵骨に対応する部位の
中敷きの厚さが同じである
請求項１から３のいずれかに１項に記載の履物。
【請求項５】
前記中敷きは、
前記内側縦アーチを形成する第１中足骨、第１楔状骨、舟状骨に対して圧迫を与えない
請求項１から４のいずれかに１項に記載の履物。
【発明の詳細な説明】
【技術分野】
【０００１】
本発明は、関節が弱くなり、身体のバランスを取ることが難しい身体の方にバランスが取れるように補正をする履物に関する。
【背景技術】
【０００２】
特許文献１には、内側楔状骨、中間楔状骨、外側楔状骨、舟状骨、第１中足骨後部及び第２中足骨後部に当接することによって、土踏まず部の内側縦アーチを下からしっかりと支える内側扇状隆起部を備えた歩行用履物が開示されている。
【先行技術文献】
【特許文献】
【０００３】
【特許文献１】特許５８１５１７２号公報
【発明の概要】
【発明が解決しようとする課題】
【０００４】
特許文献１の歩行用履物の場合、履いた瞬間のフィット感がよく、楽に歩くことができる一方、長時間の使用においては足の筋肉、特にふくらはぎの活用を阻害してしまうため、足の筋肉が鈍ってしまい、本来の機能を徐々に失う結果となってしまう。
【０００５】
特に、産前産後の女性のように関節が柔らかくなっている場合には、足、本来の機能を活性化させ、全身のバランスを足元から考えることが重要となる。妊娠をすると、女性の身体にはリラキシンホルモンという卵巣や子宮、胎盤などから女性ホルモンが分泌される。これは、主に妊娠中に分泌量が増えることで、骨盤などの関節や靭帯を緩め、分娩時に胎児が産道をスムーズに通ることができるようにする。リラキシンホルモンが増えると、骨盤だけでなく、他の部位の関節や靭帯も柔らかくなるため、全身のバランスを保ちにくい状態となる、また、妊婦においては、胎児の成長に応じて体重の増加と腹部の隆起により、さらに身体のバランスを取りにくくなる。またバランスを取るために左右の足幅を広くしたり、後傾にしてバランスを取ろうとする。
【０００６】
このようなバランスの取り方をした場合、脚、骨盤等のバランスを保つことが難しく、また足の先から上半身までの力の伝達が不安定な状態となる。このため筋力を効率よく使えない状態となっている。したがって、物を持つ、立ち上がる、歩くといった日常的な動作時に特定の場所に過剰な負荷が掛かりやすくなるため、腰痛、浮腫み、肩こり、骨盤帯痛など、妊婦特有の症状が現れる。
【０００７】
本発明は、産前産後の女性のように関節が柔らかくなっている身体の方にバランスが取れるように補正をする履物を提供することである。
【課題を解決するための手段】
【０００８】
本発明の履物は、外側縦アーチ、横アーチ、内側縦アーチからなる足の基本骨格に対して軽い圧迫を与える中敷きを備える履物において、中敷きは、外側縦アーチを形成する第５中足骨、立方骨、踵骨に対して圧迫を与える外側縦アーチ圧迫部と、横アーチの後部であり、第２中足骨および第３中足骨の骨底部と、第２楔状骨および第３楔状骨の骨頭部との間の関節部分に対して圧迫を与える中足骨圧迫部とを備える。
【０００９】
好適には、中足骨圧迫部は、第２楔状骨の骨頭部または第２中足骨の骨底部の内側端部と、第３楔状骨の骨頭部または第３中足骨の骨底部の外側端部を結ぶ線を底辺とし、前方側に頂点を持つ三角形状の凸部である。
【００１０】
好適には、中足骨圧迫部は、第２楔状骨の骨頭部または第２中足骨の骨底部の内側端部と、第３楔状骨の骨頭部または第３中足骨の骨底部の外側端部と、この２点を結ぶ線を底辺とした正三角形の頂点部との３点を通る円形状または楕円形状の凸部である。
【００１１】
好適には、第２中足骨および第３中足骨に対応する部位の中敷きの厚さと、踵骨に対応する部位の中敷きの厚さが同じである。
【００１２】
好適には、中敷きは、内側縦アーチを形成する第１中足骨、第１楔状骨、舟状骨に対して圧迫を与えない。
【発明の効果】
【００１３】
本発明における履物によって、足本来の骨格バランスを整え、産前産後の特有な症状の緩和が可能となった。
【図面の簡単な説明】
【００１４】
【図１】本発明の実施形態に係る履物の全体斜視図である。
【図２】本発明の実施形態に係る履物および足の骨格の透視上面図である。
【図３】本発明の実施形態に係る履物の中敷きおよび足の骨格の側面図である。
【図４】本発明の実施形態に係る履物の中敷きの斜視図である。
【図５】本発明の実施形態に係る履物の中敷きの側面断面図である。
【図６】左足の骨格を示した側面斜視図である。
【図７】本発明の実施形態に係る履物の中敷きの底面図である。
【図８】本発明の実施形態に係る履物の中敷きの六面図および各断面図である。
【図９】本発明の他の実施形態に係る履物の全体斜視図である。
【発明を実施するための形態】
【００１５】
本発明の実施形態に係る履物の説明をする前に、図６にしたがって、足の骨格について説明する。
【００１６】
図６は、左足の骨格を示した側面斜視図である。足は５本の趾骨（Phalanges）から形成される。第１趾はいわゆる親指である。第１趾は、先端側から第１末節骨（Distal）１、第１基節骨（Proximal）１０、第１中足骨（Metatarsal bone）１５から形成される。第２趾は、先端側から第２末節骨２、第２中節骨６、第２基節骨１１、第２中足骨１６から形成される。第３趾は、先端側から第３末節骨３、第３中節骨７、第３基節骨１２、第３中足骨１７から形成される。第４趾は、先端側から第４末節骨４、第４中節骨８、第４基節骨１３、第４中足骨１８から形成される。第５趾は、先端側から第５末節骨５、第５中節骨９、第５基節骨１４、第５中足骨１９から形成される。第１趾は第１末節骨１と第１基節骨１０が大きいため中節骨が存在しない。
【００１７】
さらに、それぞれの中足骨の底部側には、楔状骨（Cuneiform bones）２０，２１，２２および立方骨（Cuboid bone）２３が接続される。第１中足骨１５には内側楔状骨２０、第２中足骨１６には中間楔状骨２１、第３中足骨１７には外側楔状骨２２、第４中足骨１８および第５中足骨１９には立方骨２３が接続される。楔状骨２０，２１，２２には舟状骨（Navicular bone）２４が接続される。舟状骨２４はさらに距骨（Talus）２５に接続され、距骨２５は脛骨（Tibia）２７に接続される。一方、立方骨２３は踵骨（Calcaneus）２６に接続され、さらに腓骨（Fibula）２８に接続される。
【００１８】
このように複雑に接続された足の骨格において、骨と骨とが接続される各部分が関節となる。妊娠時や生理時などには、女性ホルモンの分泌により、これらの関節が柔らかくなるため、歩行時などに全身のバランスが取りにくくなる。このため、腰痛、浮腫み、肩こり、骨盤帯痛など、女性特有の症状が現れる。
【００１９】
ここで、第５中足骨１９の先端側の頭部から立方骨２３を通って踵骨２６へ結ぶ曲線を外側縦アーチＣ１という。また、第１中足骨１５の先端側の頭部、第２中足骨１６の先端側の頭部、第３中足骨１７の先端側の頭部、第４中足骨１８の先端側の頭部、第５中足骨１９の先端側の頭部を結ぶ曲線を横アーチＣ２という。さらに、第１中足骨１５の先端側の頭部から中間楔状骨２１、舟状骨２４、距骨２５を通り、踵骨２６へ結ぶ曲線を内側縦アーチＣ３という。
【００２０】
外側縦アーチＣ１、横アーチＣ２、内側縦アーチＣ３は、足のバランスを考える上での基本骨格となる。特に近年では、元々ドーム型となっている土踏まずの部分をサポートするように、内側縦アーチＣ３のサポートを重視した履物が多くなっている。このような履物を履いて長時間の歩行を行うことで、足、本来の力を衰えさせてしまっている。これにより、身体のポンプと呼ばれる脹脛の活動が衰え、血流の流れにも影響する。また、過度にサポートをしているため、足の指を使用しない、いわゆる浮き指の状態となり、肩こりやめまい、頭痛の原因となっている。
【００２１】
発明者による研究の結果、サポートする部分が大きいと、逆に筋運動を阻害してしまうということがわかってきた。特に、第１趾、第２趾、第３趾は足の運動を司る部分であり、第４趾、第５趾はバランスを司る部分であることがわかり、第１趾、第２趾、第３趾、つまり土踏まず部をサポートしすぎると、運動を阻害してしまうことがわかった。
そこで、バランスを司る部分である第４趾、第５趾を中心にサポートすることが足のバランスを取ることに重要であることがわかってきた。
さらに研究開発を進めたところ、浮き指により、効率的に筋肉や脹脛が使えないことによる影響があることがわかってきた。
そこで、鋭意研究の結果、中足骨の所定の場所をサポートすることが効果的であることがわかった。そこで、本発明の履物では、後述するように、内側縦アーチＣ３のサポートは行わず、外側縦アーチＣ１のサポートおよび横アーチＣ２後方の中足骨の所定箇所への圧迫の相乗効果により、より効率的に筋肉を使うようにサポートし、足元から骨格バランスを整えることで、最適な身体のバランスを整える履物を提供するものである。
【００２２】
図１は、本発明の実施形態に係る履物の全体斜視図である。履物１１０は、バレエシューズのような形状を有している。履物１１０は約１０ｍｍの中敷き１００を備えている。
この中敷き１００が後述するような外側縦アーチ圧迫部１０１と中足骨圧迫部１０２を備える形状を備えている。
ここで、履物１１０はバレエシューズの形状としたが、サンダルやスニーカ、室内靴、運動靴などであってもよい。
また、中敷き１００に外側縦アーチ圧迫部１０１および中足骨圧迫部１０２を備えるようにしたが、履物１１０自体が外側縦アーチ圧迫部および中足骨圧迫部を備えるような形状となっていてもよい。この場合、中敷きはすべての面において同じ厚さとなっている。
【００２３】
図２は、本発明の実施形態に係る履物および足の骨格の透視上面図である。足の基本骨格である３つのアーチがある。外側縦アーチＣ１は、第５中足骨１９の先端側の頭部から立方骨２３を通って踵骨２６へ結ぶアーチである。横アーチＣ２は、第１中足骨１５の先端側の頭部、第２中足骨１６の先端側の頭部、第３中足骨１７の先端側の頭部、第４中足骨１８の先端側の頭部、第５中足骨１９の先端側の頭部を結ぶアーチである。内側縦アーチＣ３は、第１中足骨１５の先端側の頭部から中間楔状骨２１、舟状骨２４、距骨２５を通り、踵骨２６へ結ぶアーチである。
【００２４】
本発明の実施形態に係る履物は、外側縦アーチＣ１、横アーチＣ２、内側縦アーチＣ３からなる足の基本骨格に対して軽い圧迫を与える中敷き１００を備える。中敷き１００は、外側縦アーチＣ１を形成する第５中足骨１９、立方骨２３、踵骨２６に対して圧迫を与える外側縦アーチ圧迫部１０１と、横アーチＣ２の後部であり、第２中足骨１６および第３中足骨１７の骨底部と、第２楔状骨２１および第３楔状骨２２の骨頭部との間の関節部分に対して圧迫を与える中足骨圧迫部１０２とを備える。
【００２５】
中足骨圧迫部１０２は、第２楔状骨２１の骨頭部または第２中足骨１６の骨底部の内側端部と、第３楔状骨２２の骨頭部または第３中足骨１７の骨底部の外側端部を結ぶ線を底辺とし、前方側に頂点を持つ三角形状の凸部である。このように凸部を形成し、中足骨の中央底部側に圧迫を与えることで、中足骨を持ち上げ、足の指が動かせる状態にできる。足の指が動くことで、ふくらはぎの筋肉を使いながら歩くことができる。
【００２６】
さらに、三角形状の凸部とすることで、最小限の大きさで中足骨を持ち上げることができる。ここで、第１中足骨１５の先端側の頭部、第２中足骨１６の先端側の頭部、第３中足骨１７の先端側の頭部、第４中足骨１８の先端側の頭部、第５中足骨１９の先端側の頭部と、第１基節骨１０、第２基節骨１１、第３基節骨１２、第４基節骨１３、第５基節骨１４のそれぞれの間の関節部分をリスフラン関節という。このリスフラン関節の中央の一部分を持ち上げることが浮き指の防止に効果的である。
【００２７】
図３は、本発明の実施形態に係る履物の中敷きおよび足の骨格の側面図である。外側縦アーチ圧迫部１０１が、外側縦アーチＣ１を形成する第５中足骨１９、立方骨２３、踵骨２６に対して圧迫を与えるように形成される。外側縦アーチ圧迫部１０１の高さｈ１は、１０ｍｍ〜１１．５ｍｍとなっている。
【００２８】
中足骨圧迫部１０２は、第２楔状骨２１の骨頭部または第２中足骨１６の骨底部の内側端部と、第３楔状骨２２の骨頭部または第３中足骨１７の骨底部の外側端部を結ぶ線を底辺とし、前方側に頂点を持つ三角形状の凸部として形成されている。中足骨圧迫部１０２は、主に第２楔状骨２１の骨頭部と第２中足骨１６の骨底部の間の関節部と、第３楔状骨２２の骨頭部と第３中足骨１７の骨底部の間の関節部に接して圧迫し、足を中央部分を持ち上げている。前方側に向かって三角形状となっているため、第２中足骨１６と第３中足骨１７の間くらいに頂点が来るようになっており、足裏全体をドーム状とするように圧迫している。また、上述の外側縦アーチ圧迫部１０１との相乗効果により、外側縦アーチＣ１のサポートと、中足骨の中央部のサポートにより、中敷き１００のクッションがなくてもこの２つの圧迫部によるドーム構造が足裏のバランスを整え、指が使いやすい状態となり、全身をささえることができる。
【００２９】
中敷き１００のつま先側、つまり第２中足骨１６および第３中足骨１７に対応する部位の中敷きの厚さａとかかと側、つまり踵骨２６に対応する部位である踵椀部１０３の中敷きの厚さａ’は、ほぼ同じ厚さとなっている。外側縦アーチ圧迫部１０１と中足骨圧迫部１０２により、全身をささえる構造となっているため、かかと側の厚さａ’を厚くする必要はない構造となっている。ここで、中敷き１００は、 内側縦アーチＣ３を形成する第１中足骨１５、第１楔状骨２０、舟状骨２４に対して圧迫を与えない構造となっている。
【００３０】
中敷きの素材としては、EVA(Ethylene-Vinyl Acetate)樹脂（エチレン-酢酸ビニル共重合樹脂）や、コルク、エラストマー、塩化ビニル樹脂、ポリエチレン樹脂、ウレタン樹脂などの弾力性のある素材を利用できる。
【００３１】
図４は、本発明の実施形態に係る履物の中敷きの斜視図である。中敷き１００は、そのほぼ中央部に三角形状の中足骨圧迫部１０２を備えている。ここで、中足骨圧迫部１０２は三角形状としたが、三角形状でなくても、円形、楕円形であってもよい。この場合、第２楔状骨２１の骨頭部または第２中足骨１６の骨底部の内側端部と、第３楔状骨２２の骨頭部または第３中足骨１７の骨底部の外側端部と、この２点を結ぶ線を底辺とした正三角形の頂点部との３点を通る円形状または楕円形状の凸部となるように形成する。
【００３２】
図５は、本発明の実施形態に係る履物の中敷きの側面断面図である。中敷き１００に対して、外側縦アーチ圧迫部１０１と中足骨圧迫部１０２が形成されている。これらは一体的に形成されている。中足骨圧迫部１０２が形成されている部位では、左右両側が凹む形となり、より中足骨を持ち上げるように形成されていることがわかる。外側縦アーチ圧迫部１０１が形成されている部位では、左右両側はそれほど凹む形状はなく、フラットに近い形で、外側縦アーチＣ１を形成する第５中足骨１９、立方骨２３、踵骨２６に対して圧迫を与えていることがわかる。踵椀部１０３では、大きくお椀状に踵骨２６を包むように形成されていることがわかる。これにより、足元の骨格バランスを整え、全身をうまく使える身体にすることが可能となる。
【００３３】
図７は、本発明の実施形態に係る履物の中敷きの底面図である。図８は、本発明の実施形態に係る履物の中敷きの六面図および各断面図である。図７の側面図における、Ａ−Ａ’断面、Ｂ−Ｂ’断面、Ｃ−Ｃ’断面、Ｄ−Ｄ’断面、Ｅ−Ｅ’断面、Ｆ−Ｆ’断面は図８に示されている。図８のＡ−Ａ’断面から、中敷き１００の中央部分において外側縦アーチ圧迫部１０１が厚みを持って形成されていることがわかる。また、中敷き１００のつま先側、つまり第２中足骨１６および第３中足骨１７に対応する部位の中敷きの厚さとかかと側、つまり踵骨２６に対応する部位の中敷きの厚さは、ほぼ同じ厚さとなっている。これは、つま先側の断面であるＢ−Ｂ’断面とかかと側の断面であるＦ−Ｆ’断面からもわかる。
【００３４】
図９は、本発明の他の実施形態に係る履物１１１の全体斜視図である。本実施形態の履物１１１は、先の部分にゴム素材やプラスチック素材からなるカバー部１１２を備える。
本発明に係る履物を、産後の履物として利用する際に、ベビーカーの車止めを履物の先で行う。
この際、履物の先の生地が薄い場合や、衝撃に弱い場合には、履物の傷みが早く、履物を長く履くことができない。
そこで、本発明のような産後の身体のバランスを整える履物に対して、履物の先にカバーを付けることで、長く履ける履物とすることも好適である。
カバー部１１２は、ゴム、プラスチック、アルミなど、耐久性があるものが好ましい。また、履物の素材自体に対して加工することで耐久性を高めるようにしてもよい。樹脂コーティングスプレーなどで耐久性を上げるようにしてもよい。
【００３５】
＜実施形態の構成及び効果＞
本発明の履物は、外側縦アーチ、横アーチ、内側縦アーチからなる足の基本骨格に対して軽い圧迫を与える中敷きを備える履物において、中敷きは、外側縦アーチを形成する第５中足骨、立方骨、踵骨に対して圧迫を与える外側縦アーチ圧迫部と、横アーチの後部であり、第２中足骨および第３中足骨の骨底部と、第２楔状骨および第３楔状骨の骨頭部との間の関節部分に対して圧迫を与える中足骨圧迫部とを備える。
このような構成を有することから、足本来の骨格バランスを整え、全身をうまく使える身体にすることができるという効果がある。
【００３６】
なお、本発明の履物によれば、産前であれば、リラキシンホルモンの分泌による関節への影響や、体重の増加と腹部の隆起によるバランスの崩れを整え、また、産後であれば、乳幼児を抱えることでの負担によるバランスの崩れを整えることができる。特に産前であれば、マタニティシューズとして最適である。
【００３７】
本発明の構造、素材などは、本発明の要旨を変更しない範囲で、様々に変更可能である
。
また、上記実施形態は、あくまでも、現在のところの最良の形態の１つにすぎない。
【符号の説明】
【００３８】
１     第１末節骨
２     第２末節骨
３     第３末節骨
４     第４末節骨
５     第５末節骨
６     第２中節骨
７     第３中節骨
８     第４中節骨
９     第５中節骨
１０   第１基節骨
１１   第２基節骨
１２   第３基節骨
１３   第４基節骨
１４   第５基節骨
１５   第１中足骨
１６   第２中足骨
１７   第３中足骨
１８   第４中足骨
１９   第５中足骨
２０   内側楔状骨
２１   中間楔状骨
２２   外側楔状骨
２３   立方骨
２４   舟状骨
２５   距骨
２６   踵骨
２７   脛骨
２８   腓骨
１００ 中敷き
１０１ 外側縦アーチ圧迫部
１０２ 中足骨圧迫部
１０３ 踵椀部
１１０ 履物
１１１ 履物
１１２ カバー部
Ｃ１   外側縦アーチ
Ｃ２   横アーチ
Ｃ３   内側縦アーチ
【図１】
2019072459.tif 000003
【図２】
2019072459.tif 000004
【図３】
2019072459.tif 000005
【図４】
2019072459.tif 000006
【図５】
2019072459.tif 000007
【図６】
2019072459.tif 000008
【図７】
2019072459.tif 000009
【図８】
2019072459.tif 000010
【図９】
2019072459.tif 000011